(57)【特許請求の範囲】
【請求項１】
適正なグリップを得るため必要とする部分の圧を光で認識できるようにしたものであり、
人差し指の指先腹部に人差し指指先圧接スイッチが設けられ、且つ親指の指先腹部に親指受圧板が設けられ、これらは導線を介して電源に接続され、導線途中の薬指の第３関節甲側部に発光電球が設けられており、適正なグリップをした場合に、人差し指指先圧接スイッチと親指受圧板とが圧接し合ってＯＮ状態になり導通し、発光電球が点灯するゴルフ用グローブ。
【請求項２】
人差し指の根本右側部に人差し指根元圧接スイッチが設けられ、且つ親指の基節腹部にも親指圧接スイッチが設けられ、これらの両圧接スイッチは導線を介して電源に接続され、導線途中の人差し指の第３関節甲側部に発光電球が設けられており、適正なグリップをした場合に、人差し指根元圧接スイッチと親指圧接スイッチとが圧接し合ってＯＮ状態になり導通し、発光電球が点灯する請求項１記載のゴルフ用グローブ。
【請求項３】
小指の指先腹部に小指圧接スイッチが設けられ、この小指圧接スイッチは導線を介して電源に接続され、導線途中の中指の第３関節甲側部に発光電球が設けられており、適正なグリップをした場合に、小指圧接スイッチと握り部とが圧接し合ってＯＮ状態になり導通し、発光電球が点灯する請求項１又は２記載のゴルフ用グローブ。
【請求項４】
手の掌の一方の掌端部から他方の掌端部にかけて左右に横断するグリップ誘導用目印ラインを設けた請求項１〜３のいずれか１項に記載のゴルフ用グローブ。
【発明の詳細な説明】
【技術分野】
【０００１】
本発明は、適正なグリップが得られるゴルフ用グローブに関し、更に詳しくは、適正なグリップの仕方が可視化により的確に確認できるゴルフ用グローブを提供するものである。
【背景技術】
【０００２】
一般に、ゴルフの基本はゴルフシャフトに対するグリップの仕方（いわゆる握り方）から始まるといわれている。
その理由は球、シャフト及び身体の唯一の接点が僅かの面積を有するグリップだからである。
指導者は、ゴルフを教える前に、そのことの重要性を初心者に強く伝えている。
間違ったとされているグリップを一旦覚えてしまうと、その癖がなかなか抜けにくい。
しかも続けていると下手を固めてしまうことになる。
そのため、初心者は、初期の段階でグリップの仕方に変な癖が付かないように、グリップの基本技術、すなわち上級者に共通する適正な基本技術を早めに習得する必要がある。
【０００３】
一方、初心者ではなく、長年ゴルフプレーを経験している者の場合であっても、気づかない内にグリップが曖昧になって独自の悪い癖が付いてしまっているケースも多い。
このような場合、結果的にスコアーメーク、上達に悪影響を与えることになる。
【０００４】
ところで、グリップの仕方（いわゆる握り方）には、いく通りかのグリップ方式があるが、それぞれにおいて違いがあり各々特徴を持っている。
例えば、ウイークグリップ、フックグリップ（ストロンググリップ）、スクウエアグリップ等によってクラブのグリップ部に対する握る指の使い方が多少異なる。
【０００５】
また、ショートサム、ロングサム等などによっても同様である。
このようなグリップの仕方には、それを行う上での共通したキーポイントがある。
【０００６】
それは、右利きの者が、左側から左手でゴルフシャフトのグリップ部を握る場合でいうならば、左手の人差し指と親指との間のＶ字の部分（付け根付近）に空間ができては駄目で、両者がピッタリ密着していることが極めて重要である。
このような空間が生じないコツは、上述したウイークグリップ、フックグリップ（ストロンググリップ）、スクウエアグリップ、ショートサム、ロングサム等の握り方を問わず共通している。
【０００７】
しかし、特に、ゴルフをやり始めの頃の初心者には、なかなかこれがやりにくい。
すなわち、左手の人差し指と親指との間の密着性が悪く空間が生じてしまうのである。
人差し指の根本右側部と親指の基節腹部の間（いわゆるＶ字の部分）に隙間があり、ピタッと接触し圧接している状態ではない。
そのため、結果的に、クラブのグリップ部を握る力が弱まり、必要な手の機能が、効率よく、ゴルフクラブのグリップ部に伝わらない。
【０００８】
例えば、インパクト時に最大のパワーが発揮できないことがある。
空間が生じては駄目で左手の人差し指と親指のＶ字の部分がピッタリ密着していなければならないのである。
このようにグリップの仕方は極めて重要であるところ、的確なグリップをできるだけ可能とするゴルフ用グローブ（ゴルフ手袋）が幾つか開発されている。〔特許文献１〕，〔特許文献２〕
【０００９】
前者のゴルフグローブは、その表面に磁気材料を設けることによりシャフトのグリップ部に引き付けられることを利用してグリップを改善するものである。
しかし、磁気力には限界があり、また時間と共に磁力が低下することも欠点である。
【００１０】
また後者のゴルフ用グローブは、例えば、左手のゴルフ用グローブと右手のゴルフ用グローブの表面において、面フアスナー片をそれぞれ必要とする部分に貼着して、それらが合致するように握ることで、正しいグリップをし易くしたものである。
【００１１】
しかし薄暗いところでは合わせにくく、また面フアスナー片自体も使用時間の経過と共にすり減り精度が保てない欠点がある。
【００１２】
一方、上述した２件の特許文献とは別のゴルフ用グローブ、すなわち、ゴルフ用グローブに感圧センサーを設け、グリップが不適正になると音による警告がなるようなものも開発されている。
しかし、以上述べた幾つかのゴルフ用グローブは、アドレスした状態で、グリップの良し悪しが自分自身の目で的確に確認できるようにはなっていない。
【先行技術文献】
【特許文献】
【００１３】
【特許文献１】特表２０００−５１７００５号
【特許文献２】実用新案登録第３０９５７３８号
【発明の概要】
【発明が解決しようとする課題】
【００１４】
本発明は、このような従来の技術的な問題点を解決するものである。
すなわち、本発明の目的は、アドレス状態で、適正なグリップの仕方が目で的確に確認できるゴルフ用グローブを提供するものである。
【課題を解決するための手段】
【００１５】
以上のような背景を基に、本発明者が研究を重ねた結果、ゴルフ用グローブＡを手に装着し、アドレスしてシャフトの握り部をグリップした場合、少なくとも人差し指と親指の間に間隙が発生しない状態を光で知らせるようにすることで、適正なグリップの仕方が可視化により的確に確認できることを見出した。
この知見により、上記問題点を解決すべく、本発明を完成したものである。
【００１６】
すなわち、本発明は、（１）、適正なグリップを得るため必要とする部分の圧を光で認識できるようにしたものであり、人差し指の指先腹部に人差し指指先圧接スイッチＵ１が設けられ、且つ親指の指先腹部に親指受圧板Ｕ２が設けられ、これらは導線を介して電源Ｋに接続され、導線途中の薬指の第３関節甲側部に発光電球Ｌ３が設けられており、適正なグリップをした場合に、人差し指指先圧接スイッチＵ１と親指受圧板Ｕ２とが圧接し合ってＯＮ状態になり導通し、発光電球Ｌ３が点灯するゴルフ用グローブＡに存する。
【００１７】
また、本発明は、（２）、人差し指の根本右側部に人差し指根元圧接スイッチＳ１が設けられ、且つ親指の基節腹部にも親指圧接スイッチＳ２が設けられ、これらの両圧接スイッチＳ１、Ｓ２は導線を介して電源Ｋに接続され、導線途中の人差し指の第３関節甲側部に発光電球Ｌ１が設けられており、適正なグリップをした場合に、人差し指根元圧接スイッチＳ１と親指圧接スイッチＳ２とが圧接し合ってＯＮ状態になり導通し、発光電球Ｌ１が点灯する上記（１）記載のゴルフ用グローブＡに存する。
【００１８】
また、本発明は、（３）、小指の指先腹部に小指圧接スイッチＴ１が設けられ、この小指圧接スイッチＴ１は導線を介して電源Ｋに接続され、導線途中の中指の第３関節甲側部に発光電球Ｌ２が設けられており、適正なグリップをした場合に、小指圧接スイッチＴ１と握り部Ｂ１とが圧接し合ってＯＮ状態になり導通し、発光電球Ｌ２が点灯する上記（１）又は（２）記載のゴルフ用グローブＡに存する。
【００２０】
また、本発明は、（４）、手の掌の一方の掌端部から他方の掌端部にかけて左右に横断するグリップ誘導用目印ラインＭを設けた上記（１）〜（３）のいずれか１つに記載のゴルフ用グローブＡに存する。
【発明の効果】
【００２１】
本発明は、（１）、適正なグリップを得るため必要とする部分の圧を光で認識できるようにしたゴルフ用グローブＡであるので、簡単に適正なグリップを的確に行うことができる。
【００２２】
また、（２）、ゴルフ用グローブＡの人差し指の根本右側部に人差し指根元圧接スイッチＳ１が設けられ、且つ親指の基節腹部にも親指圧接スイッチＳ２が設けられ、これらの両圧接スイッチＳ１、Ｓ２は導線を介して電源Ｋに接続され、導線途中の人差し指の第３関節甲側部に発光電球Ｌ１が設けられており、適正なグリップをした場合に、人差し指根元圧接スイッチＳ１と親指圧接スイッチＳ２とが圧接し合ってＯＮ状態になり導通し、発光電球Ｌ１が点灯するので、人差し指の根本右側部と親指の基節腹部との間に間隙が生じるようなことはなく、アドレス状態で、適正なグリップの仕方が目で的確に確認できる。
【００２３】
また、（３）、小指の指先腹部に小指圧接スイッチＴ１が設けられ、この小指圧接スイッチＴ１は導線を介して電源Ｋに接続され、導線途中の中指の第３関節甲側部に発光電球Ｌ２が設けられており、適正なグリップをした場合に、小指圧接スイッチＴ１と握り部Ｂ１とが圧接し合ってＯＮ状態になり導通し、発光電球Ｌ２が点灯するので、小指の指先腹部が、ゴルフクラブの握り部を一定の圧力でグリップすることができ、アドレス状態で、適正なグリップの仕方が目で的確に確認できる。
【００２４】
また、（４）、人差し指の指先腹部に人差し指指先圧接スイッチＵ１が設けられ、且つ親指の指先腹部に親指受圧板Ｕ２が設けられ、これらは導線を介して電源Ｋに接続され、導線途中の薬指の第３関節甲側部に発光電球Ｌ３が設けられており、適正なグリップをした場合に、人差し指指先圧接スイッチＵ１と親指受圧板Ｕ２とが圧接し合ってＯＮ状態になり導通し、発光電球Ｌ３が点灯するので、人差し指の指先腹部と親指の指先腹部の間に隙間が生じるようなことはなく、アドレス状態で、適正なグリップの仕方が目で的確に確認できる。
【００２５】
また、（５）、手の掌の一方の掌端部から他方の掌端部にかけて左右に横断するグリップ誘導用目印ラインＭを設けたので、掌の適正な位置に、ゴルフクラブの握り部が対応することになり、アドレス状態で、適正なグリップの仕方が目で的確に確認できる。
【図面の簡単な説明】
【００２６】
【図１】図１は、本発明のゴルフ用グローブの外観図であり、（Ａ）は掌側、（Ｂ）は甲側を示す。
【図２】図２は、本発明のゴルフ用グローブを着用してゴルフシャフトの握り部をグリップした状態における発光電球の位置を示す図である。
【図３】図３は、ゴルフ用グローブの左手の掌側における「人差し指根元圧接スイッチ」と「親指圧接スイッチ」の位置を示す図である。
【図４】図４は、ゴルフ用グローブの左手の甲側における「人差し指根元圧接スイッチ」と「親指圧接スイッチ」の位置を示す図である。
【図５】図５は、発光電球が点灯するための回路を示す説明図である。
【図６】図６は、ゴルフ用グローブの掌側における小指圧接スイッチの位置を示す図である。
【図７】図７は、発光電球が点灯するための回路を示す説明図である。
【図８】図８は、ゴルフ用グローブの左手の掌側における人差し指指先圧接スイッチと親指受圧板の位置を示す図である。
【図９】図９は、発光電球が点灯するための回路を示す説明図である。
【図１０】図１０は、ゴルフ用グローブの掌側における誘導用目印ラインの位置を示す図である。
【図１１】図１１は、第２の機能と第３の機能を選択的に解除できるようにした場合の回路を示す説明図である。
【図１２】図１２は独立して第２の機能を発揮できる回路を示す説明図である。
【図１３】図１３は独立して第３の機能を発揮できる回路を示す説明図である。
【図１４】図１４は第１の機能と第２の機能が発揮できるような回路を示す説明図である。
【図１５】図１５は第１の機能と第３の機能が発揮できるような回路を示す説明図である。
【発明を実施するための形態】
【００２７】
以下、必要に応じて図面を参照しつつ、本発明の好適な実施形態について詳細に説明する。
本発明のゴルフ用グローブＡは、適正な（正しい）グリップが得られるゴルフ用グローブＡであり、アドレス時、ゴルフクラブを握った場合の適正なグリップの仕方が目で的確に確認できるものである。
ゴルフ用グローブＡにおける適正なグリップを行うため必要とする部分の圧を光で可視的に認識できるようになっている。
以下、その実施の形態について述べることとする。
【００２８】
第１の実施の形態
図１は、本発明のゴルフ用グローブＡの外観図であり、（Ａ）は掌側、（Ｂ）は甲側を示す。
尚、ゴルフ用グローブにおいて、電源（電池）を含む導通のための回路は省略した（以下のゴルフ用グローブの図においても同様。）
本発明のゴルフ用グローブＡは、適正なグリップ時に、光を認識して的確に確認できる機能を持つ。
先述したように、ゴルフシャフトＢを握った場合、基本的な正しいグリップの仕方は、人差し指の根本右側部と親指の基節腹部の間（いわゆるＶ字の部分）に隙間が無くピタッと接触し圧接していることが極めて重要な条件（第１条件）である。
【００２９】
ここで、「人差し指の根本右側部」とは、換言すると「人差し指における第３関節の下方の右側部」を示し、「親指の基節腹部」とは、換言すると「親指における第１関節と第２関節の間の腹部」を示す。
【００３０】
図２は、本発明のゴルフ用グローブＡを着用してゴルフシャフトＢの握り部Ｂ１をグリップした状態における発光電球の位置を示す図である。
このように、人差し指の根本右側部と親指の基節腹部の間に隙間が無くピタッと圧接していることが適正なグリップを行う上で、極めて重要である。
【００３１】
図３は、ゴルフ用グローブＡの左手の掌側における「人差し指根元圧接スイッチＳ１」と「親指圧接スイッチＳ２」の位置を示す図である。
ここで圧接スイッチは、圧力を受けることによりＯＮとなる機能を有するもので、公知のものが好適に採用可能である。
【００３２】
図４は、ゴルフ用グローブＡの左手の甲側における「人差し指根元圧接スイッチＳ１」と「親指圧接スイッチＳ２」の位置を示す図である。
本発明のゴルフ用グローブＡは、このような人差し指根元圧接スイッチＳ１と親指圧接スイッチＳ２とを有することにより、最も重要な機能を果たすものである。
【００３３】
人差し指根元圧接スイッチＳ１は、「人差し指の根本右側部」に設けられており、また、親指圧接スイッチＳ２は、「親指の基節腹部」に設けられている。
このような構造のため、本発明のゴルフ用グローブＡを使用することにより、人差し指の根本右側部と親指の基節腹部の間に（いわゆるＶ字の部分）も隙間が無くピタッと圧接しているのを確認することができる（第１の機能）。
【００３４】
ゴルフ用グローブＡを着用し、左手でゴルフシャフトＢ１を握る場合（右利き）を想定すると、図に示すように、ゴルフ用グローブＡの人差し指の根本右側部には、人差し指根元圧接スイッチＳ１が設けられており、また、親指の基節腹部にも同様に親指圧接スイッチＳ２が設けられている。
これらの２つの圧接スイッチは、後で図示する回路（導線）を介してゴルフ用グローブＡの他所に設けた電源Ｋ（例えば電池）に接続されている。
尚、電源Ｋは、ゴルフ用グローブＡの甲側における発光電球に邪魔にならない位置（例えば、中央部）に設けられる。
【００３５】
そして、回路の途中には発光電球Ｌ１が設けられており、この発光電球Ｌ１の位置は、人差し指の第３関節甲側部（換言すると、甲側における人差し指の根元の延長部で一般にナックルと呼ばれる部分である）となっている。
ここで、発光電球Ｌ１は、例えば、ＬＥＤ電球、白熱電球等の小さい電球が採用される。
アドレスする際、ゴルフシャフトＢの握り部Ｂ１に対して、適正なグリップを行うと、人差し指根元圧接スイッチＳ１と親指圧接スイッチＳ２は、互いに接触し圧接し合ってＯＮ状態となる。
【００３６】
その結果、回路は導通し発光電球Ｌ１が点灯する。
発光電球Ｌ１の設けられている位置は、上述したように人差し指の第３関節甲側部であるので、アドレス状態では、この発光電球Ｌ１を容易に視認することができる。
【００３７】
図５は、このように発光電球Ｌ１が点灯するための回路を示す説明図である。
人差し指根元圧接スイッチＳ１と親指圧接スイッチＳ２と電源Ｋと発光電球Ｌ１とが回路（導線）により直列に連結されている。
この回路においては、グリップした際、人差し指根元圧接スイッチＳ１と親指圧接スイッチＳ２との相互作用により回路が導通して、発光電球Ｌ１が点灯することとなる。
【００３８】
（具体的使用例）
１）まず、本発明のゴルフ用グローブＡを左手に装着する（右利きの人）。
２）ショットする前に、アドレスを行い、ゴルフシャフトＢの握り部Ｂ１を左手でグリップする。
３）左手でグリップする際、人差し指の根本右側部と親指の基節腹部とが、互いに圧を受けてピッタリと接触するようにする。
いわゆるＶ字の部分がピッタリと接触し圧接状態となる。
【００３９】
このように人差し指の根本右側部と親指の基節腹部とが互いに圧を受けると、人差し指根元圧接スイッチＳ１と親指圧接スイッチＳ２も、同様に圧を受けてＯＮ状態となる。
その結果、導通し発光電球Ｌ１に電流が流れて点灯する。
ゴルフシャフトＢ（詳しくは、握り部Ｂ１）を握って正しくアドレスした状態において、この点灯した発光電球Ｌ１の光は、目で可視的に容易に確認することができる。
これで適正なグリップであることが確認できたこととなる。
尚、グリップ状態では、アドレス時には、必ずこの発光電球Ｌ１が視野に入っている。
【００４０】
ここで、人差し指の根本右側部と親指の基節腹部とがぴったりと接触しないで隙間が生じている場合はどうなるのか。
その場合は、人差し指根元圧接スイッチＳ１と親指圧接スイッチＳ２とが、相互に圧接しないためＯＮ状態とはならない。
結果的に回路は導通せず発光電球Ｌ１は消灯状態となったままである。
【００４１】
そのため、親指と人差し指の位置を確かめながら再度、グリップし直すこととなる。
グリップをし直した結果、人差し指の根本右側部と親指の基節腹部とが、ピッタリと接触し互いに圧を受けた場合は、人差し指根元圧接スイッチＳ１と親指圧接スイッチＳ２も、圧を受けてＯＮ状態となり、回路が導通し発光電球Ｌ１が点灯する。
人差し指の第３関節甲側部にある発光電球Ｌ１は、アドレスした状態でその光を容易に視認することができる。
【００４２】
このように、本発明のゴルフ用グローブＡを使用することにより、アドレス状態で、人差し指の根本右側部と親指の基節腹部の間に隙間が無くピタッと接触し圧接している状態を維持することができ、適正なグリップの仕方が目で的確に確認できるのである。
【００４３】
第２実施の形態
既に第１の実施の形態で述べたように、人差し指の根本右側部と親指の基節腹部の間に隙間が無くピタッと圧接していることが適正なグリップを行う上で極めて重要な条件（第１の条件）である。
しかし、適正なグリップを行うには、この条件の他に更なる条件が加わるとより好ましい。
すなわち、更なる条件とは小指の指先腹部がゴルフシャフトＢの握り部Ｂ１に強く圧接していることである（第２の条件）。
【００４４】
このような圧接状態を確認するため、小指の指先腹部に小指圧接スイッチＴ１が設けられている。
ここで小指の指先腹部とは、換言すると「小指における先端部と第２関節との間の腹部」を示す。
【００４５】
図６は、ゴルフ用グローブＡの掌側における小指圧接スイッチＴ１の位置を示す図である。
尚、人差し指根元圧接スイッチＳ１、親指圧接スイッチＳ２は、省略している。
この小指圧接スイッチＴ１は回路（導線）を介して電源Ｋに接続されている。
また、発光電球Ｌ２は導線途中の中指の第３関節甲側部（換言すると甲側における中指の根元の延長部）に設けられている。
【００４６】
図７は、このように発光電球Ｌ２が点灯するための回路を示す説明図である。
小指圧接スイッチＴ１と電源Ｋと発光電球Ｌ２とが回路（導線）により、直列に連結されている。
この回路においては、グリップした際、小指圧接スイッチＴ１とゴルフシャフトＢの握り部Ｂ１との相互作用により、回路が電源Ｋと導通して発光電球Ｌ２が点灯することとなる。
【００４７】
（具体的使用例）
１）まず、本発明のゴルフ用グローブＡを左手に装着する（右利きの人）。
２）ショットする前に、アドレスを行い、左手でゴルフシャフトＢの握り部Ｂ１をグリップする。
３）左手でゴルフシャフトＢをグリップするが、この時、小指の指先腹部が握り部Ｂ１に強く当接（圧接）するようにする。
【００４８】
ゴルフシャフトＢの握り部Ｂ１をグリップした場合に、小指の指先腹部が握り部Ｂ１に強く圧接していると、小指圧接スイッチＴ１が圧を受けてＯＮ状態となる。
その結果、回路は導通し、発光電球Ｌ２に電流が流れて点灯する。
【００４９】
ゴルフシャフトＢ（詳しくは、握り部Ｂ１）を握って正しくアドレスした状態において、中指の第３関節甲側部に設けられている発光電球Ｌ２の点灯を目で容易に確認することができる。
これで小指の指先腹部がゴルフシャフトＢの握り部Ｂ１に強く圧接していることが確認できる（第２の機能）。
小指による握り力が的確であることが確認できたこととなる。
尚、グリップ状態では、アドレス時には、必ずこの発光電球Ｌ２が視野に入っている。
【００５０】
第３の実施の形態
既に第１の実施の形態で述べたように、人差し指の根本右側部と親指の基節腹部の間に隙間が無くピタッと圧接していることが適正なグリップを行う上で極めて重要な条件（第１の条件）である。
しかし、適正なグリップを行うには、この条件の他に更なる条件が加わるとより好ましい。
すなわち、更なる条件とは、アドレス時、左手でゴルフシャフトＢの握り部Ｂ１をグリップした状態で、人差し指の指先腹部と親指の指先腹部とがピッタリと圧接していることである（第３の条件）。
【００５１】
ここで人差し指の指先腹部とは、換言すると「人差し指における先端部と第１関節との間の腹部」を示し、また親指の指先腹部とは、親指における先端部と第１関節との間の腹部」を示す。
このような圧接状態を確認するため、人差し指の指先腹部に人差し指指先圧接スイッチＵ１が設けられ、且つ親指の指先腹部に親指受圧板Ｕ２が設けられている。
【００５２】
図８は、ゴルフ用グローブＡの掌側における人差し指指先圧接スイッチＵ１と親指受圧板Ｕ２の位置を示す図である。
ここでは人差し指根元圧接スイッチＳ１、親指圧接スイッチＳ２、小指圧接スイッチＴ１は省略している。
この人差し指指先圧接スイッチＵ１は、回路（導線）を介して電源Ｋに接続されている。
また、導線の途中に設けられている発光電球Ｌ３は薬指の第３関節甲側部に（換言すると甲側における薬指の根元の延長部）設けられる。
【００５３】
図９は、このように発光電球Ｌ２が点灯するための回路を示す説明図である。
人差し指指先圧接スイッチＵ１と電源Ｋと発光電球Ｌ３とが回路（導線）により、直列に連結されている。
この回路においては、グリップした際、人差し指指先圧接スイッチＵ１と親指受圧板Ｕ２との相互作用により電源Ｋと導通して発光電球Ｌ３が点灯する。
【００５４】
（具体的使用例）
１）まず、本発明のゴルフ用グローブＡを左手に装着する（右利きの人）。
２）ショットする前に、アドレスを行い、ゴルフシャフトＢの握り部Ｂ１を左手でグリップする。
３）左手でグリップする際、アドレス時、人差し指の指先腹部と親指の指先腹部とがピッタリと圧接するようにする。
【００５５】
このように人差し指の指先腹部と親指の指先腹部とがピッタリと圧接すると、人差し指指先圧接スイッチＵ１と親指受圧板Ｕ２とが、互いに圧を受けて回路はＯＮ状態となり導通する。
その結果、発光電球Ｌ３に電流が流れて点灯する。
ゴルフシャフトＢ（詳しくは、握り部Ｂ１）を握って正しくアドレスした状態において、薬指の第３関節甲側部に設けられている発光電球Ｌ３の点灯を目で容易に確認することができる。
これで人差し指の指先腹部と親指の指先腹部との間において握り方が的確であることが確認できたこととなる（第３の機能）。
【００５６】
第４の実施の形態
発光電球Ｌ１、発光電球Ｌ２、発光電球Ｌ３により光を認知することにより、的確なグリップを行うことは、既に述べた通りである。
ここでは発光電球を使用しないで、掌が適正に握り部Ｂ１に位置決めされてグリップされていることが目で見て確認できる手法を述べる。
【００５７】
グリップの適切な位置決めを確認できるように、手の掌の一方の掌端部から他方の掌端部にかけて左右に横断するグリップ誘導用目印ラインＭが設けられている。
例えば、手の掌の人差し指の付け根部から小指付け根部かけて左右に横断するグリップ誘導用目印ラインＭ１を付与する。
また、手の掌の人差し指の付け根部から小指付け根部にかけて左右に横断するグリップ誘導用目印ラインＭ２を付与する。
【００５８】
図１０は、ゴルフ用グローブＡの掌側における誘導用目印ラインＭ１と誘導用目印ラインＭ２の位置を示す図である。
このグリップ誘導用目印ラインＭ１は、いわゆる「ショートサムグリップ」といわれるものである。
また、グリップ誘導用目印ラインＭ２は、いわゆる「ロングサムグリップ」といわれるものである。
尚、これらは「フインガーグリップ」または「パームグリップ」と呼ぶこともある。
【００５９】
グリップする際は、ゴルフシャフトＢの握り部Ｂ１をこの誘導用目印ラインＭに合致するように添わせてグリップすることがキーポイントである。
これにより掌に対する、ゴルフシャフトＢの握り部Ｂ１の適正な位置が容易に定まる（第４の機能）。
【００６０】
このように、２種類の誘導用目印ラインＭ（Ｍ１、Ｍ２）があれば、選択が可能で有用である。
ここで、この誘導用目印ラインＭは、一本でもよいが、略ゴルフシャフトＢの太さに相当する間隔を有する２本のラインの方が、グリップする際、掌が位置決めし易い。
尚、図１０は、間隔を有する誘導用目印ラインＭ１と誘導用目印ラインＭ２を示している。
また、誘導用目印ラインＭの色は、目立って可視化できる色彩が好ましい。
【００６１】
（具体的使用例）
ショットする前に、アドレスを行い、ゴルフシャフトＢの握り部Ｂ１を左手でグリップする。
この時、ゴルフシャフトＢの握り部Ｂ１が、誘導用目印ラインＭ１又は誘導用目印ラインＭ２に対応するようにグリップする。
このようにグリップを行うことで、掌が適正に握り部Ｂ１に位置決めされていることが確認でき、アドレス状態で、適正なグリップの仕方が目で的確に確認できる。
【００６２】
以上、実施の形態を挙げて説明してきたが、本発明は、これらの実施の形態に拘束されるものではない。
【００６３】
例えば、発光電球の色は、可視的に認識できるものであれば、自由に選択可能である。
圧力スイッチの大きさや精度も最適なものを選択できる。
また、圧力スイッチ、回路、電源（電池）等の部品の具体的な設け方は、ゴルフを構成する材質（革や布等）を二重にして内蔵させることが好ましいが、必ずしもそれに限定されるものではない。
また発光電球は露出した状態で備わっている。
また、第３の実施の形態において、親指受圧板を圧接スイッチに変えることも可能である。
【００６４】
（機能の解除）
例えば、第２の実施の形態で述べた第２の機能や第３の実施の形態で述べた第３の機能を作動しない構造にすることもできる。
ここで、この第２の実施の形態において、その機能（第２の機能）が作動しないように、すなわち回路において発光電球Ｌ２が点灯しないようにするための解除スイッチ部Ｘ１を設けることも可能である。
すなわち、回路の一部に直列に解除スイッチ部Ｘ１を設ける。
人によっては、小指の指先腹部がゴルフシャフトＢの握り部Ｂ１に強く圧接していることを重要でないと考える場合、解除スイッチ部Ｘ１を切り替えて本機能（第２の機能）が作動しないようにすることができる。
【００６５】
このことは、第２の実施の形態に限らず、第３の実施の形態においても同様なことがいえる。
第３の機能が作動しないように、すなわち回路において発光電球Ｌ３が点灯しないようにするための解除スイッチ部Ｘ２を設けることも可能である。
人によっては、人差し指の指先腹部と親指の指先腹部とがピッタリと圧接していることを重要でないと考える場合、解除スイッチ部Ｘ２を切り替えて本機能（第３の機能）が作動しないようにすることができる。
【００６６】
図１１は、第２の機能と第３の機能を選択的に解除できるようにした場合の回路を示す説明図である。
このような解除スイッチ部Ｘ１、解除スイッチ部Ｘ２を設けることで選択的に機能を生かすことができる。
【００６７】
（機能の選択）
第１の実施の形態で述べた第１の機能、第２の実施の形態で述べた第２の機能、第３の実施の形態で述べた第３の機能については、全ての機能が発揮できるような回路（例えば、図９参照）としてもよいが、各々単独に機能が発揮できるような回路や組み合わせて機能が発揮できるような回路としてもよい。
図１２は独立して第２の機能を発揮できる回路を示す説明図であり、図１３は独立して第３の機能を発揮できる回路を示す説明図である。
また、図１４は第１の機能と第２の機能が発揮できるような回路を示す説明図であり、図１５は第１の機能と第３の機能が発揮できるような回路を示す説明図である。
【００６８】
因みに、第１の機能、第２の機能、第３の機能を全部発揮できた時のみ（ＡＮＤ条件）点灯するように構成することも可能であり、そのような場合は、各機能を発揮する回路を直列にし、発光電球は一つとすればよい。
このように本発明のゴルフ用グローブＡはその持つ機能の自由が高い。
【産業上の利用可能性】
【００６９】
本発明のゴルフ用グローブＡは、アドレス状態で、適正なグリップの仕方が目で的確に確認できるものであり、この原理を利用するものであれば、アイアンやドライバー以外のものに対しても、適用が十分可能である。
【符号の説明】
【００７０】
Ａ…ゴルフ用グローブ
ａ…人の手
Ｂ…ゴルフシャフト
Ｂ１…握り部
Ｋ…電源（電池）
Ｌ１、Ｌ２、Ｌ３…発光電球
Ｍ、Ｍ１、Ｍ２…誘導用目印ライン
Ｓ１…人差し指根元圧接スイッチ
Ｓ２…親指圧接スイッチ
Ｔ１…小指圧接スイッチ
Ｕ１…人差し指指先圧接スイッチ
Ｕ２…親指受圧板
Ｘ１、Ｘ２…解除スイッチ
【要約】
【課題】アドレス状態で、適正なグリップの仕方が目で的確に確認できるゴルフ用グローブを提供する。
【解決手段】ゴルフ用グローブＡの人差し指の根本右側部に人差し指根元圧接スイッチＳ１が設けられ、且つ親指の基節腹部にも親指圧接スイッチＳ２が設けられ、これらの両圧接スイッチＳ１、Ｓ２は導線を介して電源Ｋに接続され、導線途中の人差し指の第３関節甲側部に発光電球Ｌ１が設けられており、適正なグリップをした場合に、人差し指根元圧接スイッチＳ１と親指圧接スイッチＳ２とが圧接し合ってＯＮ状態になり導通し、発光電球Ｌ１が点灯するゴルフ用グローブＡ。
【選択図】図１【図１】
0006949407.tif 000002
【図２】
0006949407.tif 000003
【図３】
0006949407.tif 000004
【図４】
0006949407.tif 000005
【図５】
0006949407.tif 000006
【図６】
0006949407.tif 000007
【図７】
0006949407.tif 000008
【図８】
0006949407.tif 000009
【図９】
0006949407.tif 000010
【図１０】
0006949407.tif 000011
【図１１】
0006949407.tif 000012
【図１２】
0006949407.tif 000013
【図１３】
0006949407.tif 000014
【図１４】
0006949407.tif 000015
【図１５】
0006949407.tif 000016